(57)【要約】      （修正有）【課題】人に抱かれたままの状態で違和感を抱かせることなく、乳幼児をあやし、寝かせることができると共に、これらの動作を行う人の身体的負担を軽減させる。【解決手段】人の臀部と接する部位である座部２と、床と接する部位である接地部４と、座部２及び接地部４を連結する部位であって、上下方向に伸縮し長さが異なる複数の弾性部材を備える中間部と、を有する椅子であって、座部２上に臀部を乗せた人の重心の移動に応じ前記中間部に伸び縮み動作を行わせることによって、座部２が上下方向に揺動可能であり、前記中間部が、座部２へ弾力を加える該弾性部材の数を変化させることによって、座部２の上下方向の可動域の中で、座部２へ加わる弾力の大きさが異なる一の区間と他の区間とができるように前記複数の弾性部材を配置する。【選択図】図３
2017074330.tif 000002
【特許請求の範囲】
【請求項１】
人の臀部と接する部位である座部と、
床と接する部位である接地部と、
前記座部及び前記接地部を連結する部位であって、上下方向に伸縮し長さが異なる複数の弾性部材を備える中間部と、を有する椅子であって、
前記座部上に臀部を乗せた前記人の重心の移動に応じ前記中間部に伸び縮み動作を行わせることによって、前記座部が上下方向に揺動可能であり、
前記中間部が、前記座部へ弾力を加える該弾性部材の数を変化させることによって、前記座部の上下方向の可動域の中で、前記座部へ加わる弾力の大きさが異なる一の区間と他の区間とができるように前記複数の弾性部材を配置することを特徴とする椅子。
【請求項２】
前記中間部が、２つの前記弾性部材を有し、前記座部が最上位置から所定の深さだけ沈み込む位置までの所定の区間においては、一の前記弾性部材のみが前記座部へ弾力を加え、前記座部が前記所定の深さ以上沈み込む区間においては、前記一の弾性部材及び他の前記弾性部材が前記座部へ弾力を加えるように前記２つの弾性部材を配置することを特徴とする請求項１に記載の椅子。
【請求項３】
前記弾性部材がバネ部材であり、直径の異なる前記バネ部材を、該バネ部材の伸縮方向に中心を揃えて配置することを特徴とする請求項１又は２に記載の椅子。
【請求項４】
前記中間部が、前記座部の動きを上下方向に規制するためのものであって、前記座部と連結され、該座部と共に上下方向に変位する棒状のガイド部材を有することを特徴とする請求項１乃至３の何れか一に記載の椅子。
【請求項５】
前記中間部が、前記座部の動きを上下方向に規制するためのものであって、前記座部と連結され、該座部と共に上下方向に変位し、前記バネ部材の伸縮方向の中心位置に配置される棒状のガイド部材を有することを特徴とする請求項３に記載の椅子。
【発明の詳細な説明】
【技術分野】
【０００１】
乳幼児（子供）をあやすときや寝かし付けるときに使用する椅子の技術に関する。
【背景技術】
【０００２】
乳幼児は、上下左右に揺すられていると、落ち着き易いし寝かし付け易いという経験則がある。具体的な例を挙げるとすれば、大人が抱き軽く揺すったり、自動車のチャイルドシートに座った状態で、走行中の自動車の振動に伴い揺られたりすると、乳幼児は、すぐに寝付くものである。
一方で、いつも大人が乳幼児を抱いたままの状態でいたり、あやしや寝かせ付けのたびに自動車に乗ったりするのは大変手間の掛かることでもある。
【０００３】
そこで近年、乳幼児を落ち着かせたり、寝かし付けたりするときの手間の軽減を考慮し、自動で揺れる揺り籠などの技術が提案されている（特許文献１、２など）。これら技術では、装置上に乳幼児を寝かせた上で、当該装置の機能を使って機械的に乳幼児を揺らし、あやしたり寝かし付けたりする。
【先行技術文献】
【特許文献】
【０００４】
【特許文献１】実開平１−９７７４７号公報
【特許文献２】特開平７−２７５０７１号公報
【発明の概要】
【発明が解決しようとする課題】
【０００５】
しかしながら、上記技術においては、乳幼児を置く場所が装置の上であるため、乳幼児が接する場所が固かったり、冷たかったりして、乳幼児にとっては違和感があるものであり、乳幼児がなかなか落ち着かなかったり入眠できなかったりするという問題点があった。
【０００６】
また、上記技術においては、装置が規則的・機械的に乳幼児を揺らすことになるため、乳幼児にとってその揺れは違和感があるものとなって、乳幼児がなかなか落ち着かなかったり入眠できななかったりするという問題点もあった。
【０００７】
そこで、本発明においては、上記の問題点に鑑み、人に抱かれたままの状態であるため違和感を抱かせることなく、乳幼児をあやし、寝かせることができると共に、これらの動作を行う人の身体的負担を軽減させる椅子を提供することを目的とする。
【課題を解決するための手段】
【０００８】
開示する椅子の一形態は、人の臀部と接する部位である座部と、床と接する部位である接地部と、前記座部及び前記接地部を連結する部位であって、上下方向に伸縮し長さが異なる複数の弾性部材を備える中間部と、を有する椅子であって、前記座部上に臀部を乗せた前記人の重心の移動に応じ前記中間部に伸び縮み動作を行わせることによって、前記座部が上下方向に揺動可能であり、前記中間部が、前記座部へ弾力を加える該弾性部材の数を変化させることによって、前記座部の上下方向の可動域の中で、前記座部へ加わる弾力の大きさが異なる一の区間と他の区間とができるように前記複数の弾性部材を配置することを特徴とする。
【発明の効果】
【０００９】
開示する椅子は、人に抱かれたままの状態であるため違和感を抱かせることなく、乳幼児をあやし、寝かせることができると共に、これらの動作を行う人の身体的負担を軽減させる。
【図面の簡単な説明】
【００１０】
【図１】本実施の形態に係る椅子の正面図（第１状態）である。
【図２】本実施の形態に係る椅子の正面図（第２状態）である。
【図３】本実施の形態に係る椅子の斜視図（第１状態）である。
【図４】本実施の形態に係る椅子の斜視図（第２状態）である。
【図５】本実施の形態に係る座部を取り外した椅子の正面図（第１状態）である。
【図６】本実施の形態に係る座部を取り外した椅子の正面図（第２状態）である。
【図７】本実施の形態に係る座部を取り外した椅子の断面図（第１状態）である。
【図８】本実施の形態に係る座部を取り外した椅子の断面図（第２状態）である。
【発明を実施するための形態】
【００１１】
図面を参照しながら、本発明を実施するための形態について説明する。
（本実施の形態に係る椅子の構造）
【００１２】
図１乃至８を用いて、本実施の形態に係る椅子１の構造について説明する。図１乃至４は椅子１の外観を説明するための図であり、図５乃至８は椅子１の内部構造を説明するために座部２を取り外した状態の図である。
【００１３】
椅子１は、乳幼児１８を抱いた人２０が座り、乳幼児１８を抱いたままの状態で人２０が体を上下に揺することで、乳幼児１８を気持ち良くあやしたり寝かし付けたりするための器具である。乳幼児１８は、人２０に抱かれたままの状態で上下に揺すられるため、人肌の温もりを感じつつ揺られながら、あやされたり入眠を促されたりする。一方、乳幼児１８をあやしたり寝かし付けたい人２０は、立った状態ではなく、椅子１に腰を下ろした状態で、乳幼児１８を上下に揺らし、あやしや寝かし付けができるので、身体的な負担が小さい。
【００１４】
図１乃至８で示すように、椅子１は、座部２、接地部４、中間部６を有する。座部２は、人（特に、乳幼児１８を抱いた人）２０が座る場合に、人２０の臀部２２が接する部位である。座部２は座面ともいう。また、座部２は、人２０が体を上下左右に揺らし重心を移動させることに伴い、上下方向に揺れ動く。
接地部４は、椅子１を床や地面に載置させるとき、床や地面に接する部位である。接地部４は、椅子１の脚（足）と呼ばれることもある。
中間部６は、座部２と接地部４とを連結する部位である。中間部６は、弾性部材８、ガイド部材１２、ガイド部材１２のカバー３０を有する。
【００１５】
弾性部材８は、複数備えられ、上下方向に伸縮する機能を発揮すると共に、各弾性部材８は長さがそれぞれ異なる。図５乃至８で示すように、弾性部材８は、例えば、弦巻バネ１０である。
【００１６】
図５乃至８で示すように、弾性部材８は、座部２を下から支え、座部２へ上向きの弾力を加えるように配置される。そして、各弾性部材８の長さが異なるため、座部２が最上位置から所定の深さだけ沈み込む位置までの第１の区間１４においては、長さが長い方の弾性部材８のみが座部２へ弾力を加え、座部２が所定の深さ以上沈み込む第２の区間１６においては、長さの異なる複数の弾性部材８が座部２へ弾力を加えるように、弾性部材２は配置される。
【００１７】
つまり、第１の区間１４と第２の区間１６とでは、下方から座部２へ弾力を与える弾性部材８の数が異なることになる。当該構成によって座部２は、沈み込み当初、人２０へ相対的に弱い反発力を与え、一定以上沈み込んだ後は、人２０へ相対的に強い反発力を与えるようになり、その結果、人２０へ独特の感触（浮遊感）を与える。この独特の感触（浮遊感）が乳幼児１８のあやしや寝付かせ動作に適している。
【００１８】
図５乃至８において、弾性部材８は直径が異なる２本の弦巻バネ１０で構成されているが、第１の区間１４では、相対的に長く内側に配置される１本のバネ１０のみが座部２へ弾力を与え、第２の区間１６では、内側に配置されるバネ１０に加え外側に配置される相対的に短いバネ１０も座部２へ弾力を与えるような構成となっている。なお、図５乃至８では、座部２へバネ１０が与える力の向き・大きさを安定させるために、２本のバネ１０は、バネ１０の伸縮方向に中心を揃えて配置されている。
【００１９】
図５乃至８で示すように、ガイド部材１２は、座部２と連結される棒状の部材であって、座部２の動きを上下方向に規制するために備えられる。また、ガイド部材１２は、弾性部材８による伸縮が上下方向に限定されるように規制する部材であると捉えることもできる。ガイド部材１２は、バネ部材１０の配置に揃え、バネ部材１０の伸縮方向の中心位置に配置されることが好適である。
【００２０】
図７及び８で示すように、ガイドカバー３０は、座部２が上位置から下位置へ移動するとき、座部２と共に上位置から下位置へ変位したガイド部材１２を覆うための部材であり、中間部６の中央付近において、下向きに突出した形に形成される。ガイドカバー３０は、下位置にあるガイド部材１２による人２０のけがを防止する等の目的がある。
次に、座部２が上下方向へ揺動する動作原理について説明する。
人２０が椅子１に座った状態で自身の重心を移動させた場合、座部２は、下位置や上位置に移動し、上下方向に揺動する。
【００２１】
このような座部２の揺動運動は、中間部６（特に、弾性部材８）が、人２０の重心移動に基づき縮んだり、元の形状に戻ったりすることによって生じるものである。このとき、中間部６（特に、弾性部材８）が縮んだり原形状に戻ったりする弾性力は、乳幼児１８及び人２０の体重や、乳幼児１８が好む揺れ幅に応じて、適宜調整することができる。
（本実施の形態に係る椅子の使用方法）
図１乃至８を用いて、本実施の形態に係る椅子１の使用方法について説明する。
【００２２】
乳幼児１８をあやしたり寝かせ付けたい人２０は、椅子１の座部２に、乳幼児８を抱いたままの状態で腰を下ろす。このとき、座部２は、多少沈み込むことは有っても、所定の位置（高さ）で安定する。また、この安定した位置を第１の区間１４における最上位置と考えても差し支えない。
【００２３】
次に、人２０は、座部２に腰を下ろしたままの状態で、自身の重心を移動させることによって、中間部６に伸び縮み動作を行わせ、それに伴い座部２が上下方向に揺れ動く。このとき、座部２（中間部６）の揺れ幅の大きさは、人２０の体の動かし方（重心の移動量）によって、適宜調整することができる。
抱かれた乳幼児１８が落ち着いたり寝入るまで、人２０は、自身の体を上下に揺らし続け、乳幼児１８が落ち着いたり寝入ったら、その上下運動を停止させる。
【００２４】
このように椅子１を使用し乳幼児１８のあやしや寝かし付けを行うことによって、乳幼児１８に違和感を抱かせることなく落ち着かせたり入眠を促したりすると共に、これら動作を行う人２０の身体的負担を軽減させることができる。
（総括）
椅子１は、人２０に抱かれている安心や人肌の温もりを感じる状態で揺られることにより、乳幼児１８を落ち着かせ、また乳幼児１８に快適な入眠を促す。
【００２５】
椅子１は、乳幼児１８をあやしたり寝かせ付けたりする人２０が、腰を下ろした状態で、乳幼児１８のあやしや寝かし付けを行うことができるため、人２０の身体的負担を小さくする。
【００２６】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２７】
１    椅子
２    座部
４    接地部
６    中間部
８    弾性部材
１０  バネ部材
１２  ガイド部材
１４  第１の区間
１６  第２の区間
１８  乳幼児（子供）
２０  乳幼児を抱いた人
２２  臀部
２４  床
２６  座部が上位置にある状態（第１状態）
２８  座部が下位置にある状態（第２状態）
３０  ガイド部材のカバー
【図１】
2017074330.tif 000003
【図２】
2017074330.tif 000004
【図３】
2017074330.tif 000005
【図４】
2017074330.tif 000006
【図５】
2017074330.tif 000007
【図６】
2017074330.tif 000008
【図７】
2017074330.tif 000009
【図８】
2017074330.tif 000010